(57)【要約】 【課題】  前照灯が自転車の左右中心位置に取り付けられて、自転車の中心から前方を照射し、障害物を確認し易くすると共に、ハンドルバーに余裕をもたせて、握り易くなる付属部品取付装置を提供することを目的とする。【解決手段】  左右方向に延びるハンドルバー１０に、前照灯３１等の付属部品をブラケット３３を介して取り付けるもので、ハンドルバー１０に、ハンドルバーと平行になるよう取り付けられるハンドルバーと同じ筒型形状のバッテリーライト１５を具え、バッテリーライト１５の外周に、前照灯３１等の付属部品を前記ブラケット３３を介して取り付けられるようにする。【選択図】    図３
2010149676.tif 000002
【特許請求の範囲】
【請求項１】
自転車の左右方向に延びるハンドルバーに、前照灯等の付属部品をブラケットを介して取り付けるものにおいて、
前記ハンドルバーに、ハンドルバーと平行になるよう取り付けられるハンドルバーと同じ筒型形状のバッテリーライトを具え、
該バッテリーライトの外周に、前記付属部品を前記ブラケットを介して取り付けられるようにした自転車用付属部品取付装置。
【請求項２】
前記バッテリーライトの左右両端部にはＬＥＤを内蔵し、該ＬＥＤの光で左右両方向と前方を照らすようにした請求項１に記載の自転車用付属部品取付装置。
【請求項３】
前記付属部品としては、前記前照灯の他に、スピードメータ及び／又は警報機である請求項１又は請求項２に記載の自転車用付属部品取付装置。
【発明の詳細な説明】
【技術分野】
【０００１】
本発明は、自転車の前照灯やスピードメータ等の付属部品の取付装置に関する。
【背景技術】
【０００２】
従来、自転車の左右方向に延びるハンドルバーには、夜間走行時に前方の路面を照らす前照灯としての発電ランプのヘッドライトやバッテリーライト、あるいは走行速度を確認するスピードメータ等の付属部品が、取り付けられている。（特許文献１）（特許文献２）
【特許文献１】特開２００６−５１８８号公報
【特許文献２】特開２００５−１０４２５８号公報
【発明の開示】
【発明が解決しようとする課題】
【０００３】
前照灯は、夜間安全走行のためには、自転車の中心位置、即ち左右方向に延びるハンドルバーの左右中心位置に取り付け、そこから自転車の前方の路面を照らす方が、運転者にとっては障害物の位置にかかわらず最も障害物を認識し易く望ましい。しかしハンドルバーの左右中心位置には、ステムが連結されており、前照灯をハンドルバーの左右中心位置に取り付けることは困難であった。また、ハンドルバーの限られたスペースに、前照灯やスピードメータ等の付属部品を複数個取り付ければ寸法的に余裕がなくなり、ハンドルを握りにくくなる等の問題があった。
【０００４】
本発明は、上記課題を解決するためになされたもので、前照灯をハンドルバーの左右中心位置に相当する自転車の左右中心位置に取り付けることができるようにすると共に、複数の付属部品を自転車の前方に取り付けてもハンドルバーに余裕をもたせることができる自転車用付属部品取付装置を提供することを目的とする。
【０００５】
また、自転車の前方のみならず、左右方向の視認性をも向上できる自転車用付属部品取付装置を提供することを目的とする。
【課題を解決するための手段】
【０００６】
本発明に係わる自転車用付属部品取付装置は、自転車の左右方向に延びるハンドルバーに、前照灯等の付属部品をブラケットを介して取り付けるものにおいて、前記ハンドルバーに、ハンドルバーと平行になるよう取り付けられるハンドルバーと同じ筒型形状のバッテリーライトを具え、該バッテリーライトの外周に、前記付属部品を前記ブラケットを介して取り付けられるようにしたものである。
【０００７】
ここで前記バッテリーライトの左右両端部にはＬＥＤを内蔵し、該ＬＥＤの光で左右両方向と前方を照らすようにするのが好ましい。
【０００８】
また、バッテリーライトの外周に取り付けられる付属部品である前記前照灯は、自転車の左右方向における中心線上に取り付けるのが好ましい。
【発明の効果】
【０００９】
本発明によれば、自転車のハンドルバーに、前照灯等の付属部品をブラケットを介して取り付けるもので、ハンドルバーに、ハンドルバーと平行になるよう取り付けられるハンドルバーと同じ筒型形状のバッテリーライトを具え、このバッテリーライトの外周に、前照灯等の付属部品を前記ブラケットを介して取り付けられるようにしている。ハンドルバーの左右中心位置に相当するバッテリーライトの外周には、ステムのような取り付けに障害になるようなものは存在しないので、バッテリーライトのこの位置、即ち、自転車の左右中心位置に、前照灯を取り付けることができる。従って、自転車の左右中心位置から路面を照らすことができるので、運転者にとっては障害物を認識し易くなり、夜間走行の安全性を向上させることができる。
【００１０】
また、バッテリーライトには、前照灯の他にスピードメータ等の複数の付属部品を取り付けることができる。このように自転車に複数個の付属部品を取り付けても、ハンドルバーには、付属部品取付用のバッテリーライトのみが取り付けられているので、スペースに余裕ができ、握りやすくなる。
【００１１】
また万一、この付属部品取付用のバッテリーライトを紛失しても、前照灯等の付属部品は、従来どおりハンドルバーに取り付けることが可能である。ハンドルバーへの取り付けに際しては、バッテリーライトへの取り付け時に用いたブラケットをそのまま使用できるので、部品点数が増えることはない。
【００１２】
バッテリーライトは、付属部品の取付部材として機能する他、点灯させることにより、照明器具としての機能を果たす。特に、バッテリーライトの左右両端部にＬＥＤを内蔵し、ＬＥＤの光で左右両方向と前方を照らすようにすれば、前方のみならず左右方向に対する視認性を向上させることができる。
【発明を実施するための最良の形態】
【００１３】
以下本発明の自転車用付属部品取付装置を図に基き説明する。１は自転車本体のフレームで、後輪２、ペダル３、サドル４を装着したフレーム体５と、フレーム体５のヘッドチューブ６に通された前ホーク７から構成される。前ホーク７に前輪１２が装着される。前ホーク７には、ステム８を介してハンドル部９が装着される。ハンドル部９は、左右方向に延びるハンドルバー１０を有し、ハンドルバー１０の左右中心位置に、ステム８が連結される。前輪１２のハブ軸にはハブダイナモ１３が配備されている。
【００１４】
ハンドルバー１０には、ハンドルバー１０と平行になるように、バッテリーライト１５が取り付けられている。バッテリーライト１５は、ハンドルバー１０と同じ筒型形状をしており、外形寸法もハンドルバー１０と同じ寸法になっている。バッテリーライト１５のハンドルバー１０への取り付けは、バッテリーライト１５から直角方向（図３のようにバッテリーライト１５をハンドルバー１０に取り付けた状態における前後方向）に一体に延設された取付ブラケット１６を介して行なわれる。即ち、取付ブラケット１６の先端をハンドルバー１０に嵌めこみ、取付ネジ１７で締め付けていくことにより行なわれる（図６参照）。図６で１８はナットである。
【００１５】
バッテリーライト１５は、円筒状の本体ケース１９と、本体ケース１９のハンドルバーに取り付けた状態における左右方向両端部に嵌合されたヘッドキャップ２０、２０から外郭が構成される。ヘッドキャップ２０内には、白色ＬＥＤ２１が組み込まれたプリント基板２２がネジ２３で固定されている。ヘッドキャップ２０のコーナー部には、透明なレンズ２４が溶着固定されており、このレンズ２４により、白色ＬＥＤ２１の光を前方及び側方へ照射できるようにしている。ヘッドキャップ２０にはスイッチボタン２６が組み込まれ、プリント基板２２に固定されたスイッチ２５を操作する。プリント基板２２には、点滅・点灯用ＩＣ２７が組み込まれ、スイッチボタン２６を押すごとに、白色ＬＥＤ２１を点滅、点灯、消灯する。
【００１６】
本体ケース１９内には、プリント基板２８に取り付けられたボタン電池２９が内蔵されている。電池２９を交換する時は、本体ケース１９からヘッドキャップ２０を取り外し、電池リード板３０で保持されているボタン電池２９を取り出し、交換する。電池リード板３０は、電池２９のプラス側と接触している。
【００１７】
このバッテリーライト１５の外周には、ハブダイナモ１３の電力により点灯する前照灯としてのヘッドライト３１や、自転車の速度を測定して表示するスピードメータ３２が図３、図４のように取り付けられている。
【００１８】
ヘッドライト３１のバッテリーライト１５への取り付けは、ヘッドライト３１に固定されたブラケット３３を介して行なわれる。このブラケット３３は、前記取付ブラケット１６と同様に、先端をバッテリーライト１５の外周に嵌めこみ、取付ネジ３４で締め付けていくことにより、バッテリーライト１５に固定される。そしてこのブラケット３３はバッテリーライト３１から取り外して、バッテリーライト１５と同筒型形状で同寸法のハンドルバー１０にも、勿論固定できるものである。
【００１９】
同様にスピードメータ３２も、同様のブラケット（図示せず）を介して行なわれ、このブラケットもバッテリーライト１５から取り外して、ハンドルバー１０にも同様に固定できるものである。
【００２０】
図１や図３に示すように、ハンドルバー１０のステム８からずれた位置に取付ブラケット１６によりバッテリーライト１５を取り付ければ、バッテリーライト１５の、ハンドルバーのステムある左右中心位置即ち自転車の左右中心位置に相当する位置には、ステム８のような取り付けに障害になるようなものは存在しない。従って、バッテリーライト１５のこの位置、即ち、自転車の左右中心位置に、前照灯３１を取り付け、自転車の中心位置から路面を照らすことができるので、運転者にとっては障害物を認識し易くなり、夜間走行の安全性を向上させることができる。
【００２１】
また、バッテリーライト１５には、前照灯３１の他にスピードメータ３２等の複数の付属部品を取り付けることができる。このように自転車に複数個の付属部品を取り付けても、ハンドルバー１０には、バッテリーライト１５の取付ブラケット１６のみが取り付けられているので、スペースに余裕ができ、握りやすくなる。
【００２２】
また万一、この付属部品取付用のバッテリーライト１５を紛失しても、前照灯３１等の付属部品は、従来どおりハンドルバー１０に取り付けることが可能である。ハンドルバー１０への取り付けに際しては、バッテリーライト１５への取り付け時に用いたブラケット３３をそのまま使用できるので、部品点数が増えることはない。
【００２３】
バッテリーライト１５は、付属部品の取付部材として機能する他、スイッチボタン２６を操作して、点滅や点灯させることにより、照明器具としての機能を果たす。特に、バッテリーライト１５の左右両端部に白色ＬＥＤ２１を内蔵し、該ＬＥＤの光で左右両方向と前方を照らすようにすれば、前方のみならず左右方向に対する被視認性を向上させることができる。特に夜間停止時に前照灯３１が消灯しても、点滅、点灯する白色ＬＥＤ２１により、対向車からの被視認性を向上させることができる。
【００２４】
また、バッテリーライト１５に取り付けた前照灯３１の照射角度は、バッテリーライト１５のハンドルバー１０への取り付け位置や角度をネジ１７を弛めて調整することにより、またはヘッドライト３１のブラケット３３のバッテリーライト１５への取付角度をネジ３４を緩めて調整することにより、調整することができる。また、スピードメータ３２の取付角度も液晶表示画面３５が見やすいように同様に調整することができる。
【００２５】
バッテリーライト１５へ取り付けられる付属部品としては、前照灯３１やスピードメータ３２以外に、警報機や、ラジオ等が挙げられるが、これらに限定されるものではない。
【００２６】
また以上の説明では、ハンドルバー１０とバッテリーライト１５の直径寸法を同じにしたが、多少異なっていても、ブラケット３３のネジ３４を調整することにより、ハンドルバー１０とバッテリーライト１５のどちらにも取り付けることは可能である。
【００２７】
またバッテリーライト１５のハンドルバー１０への取り付けは、バッテリーライト１５に一体の取付ブラケット１６により行なったが、このブラケット１６の代わりにバッテリーライト１５と別体のブラケットやバンド等により取り付けることも可能である。
【図面の簡単な説明】
【００２８】
【図１】本発明の自転車用付属部品取付装置により付属部品を取り付けた自転車の平面図である。
【図２】同状態の自転車の側面図である。
【図３】図１における円内拡大図である。
【図４】図３における側面図である。
【図５】ハンドルバーにバッテリーライトを取り付けた状態の一部断面した平面図である。
【図６】ハンドルバーにバッテリーライトを取り付けた状態の一部断面した側面図である。
【図７】図５のＡ―Ａ線に基く断面図である。
【符号の説明】
【００２９】
１０    ハンドルバー
３１    ヘッドライト（前照灯）
３３    ブラケット
１５    バッテリーライト
３２    スピードメータ
２１    ＬＥＤ
【図１】
2010149676.tif 000003
【図２】
2010149676.tif 000004
【図３】
2010149676.tif 000005
【図４】
2010149676.tif 000006
【図５】
2010149676.tif 000007
【図６】
2010149676.tif 000008
【図７】
2010149676.tif 000009